(57)【要約】      （修正有）【課題】テーブルに取り付けての使用と床に置いての使用とを選択的に可能にするベビーチェアを提供する。【解決手段】ベビーチェアは、テーブルの上面に当接する左右一対の上部アーム２と、テーブルの下面に当接する左右一対の下部アーム３と、チェア本体３０を接続するための左右一対の第１被接続部４とを含むテーブル取付用アセンブリ１と、床に向かう左右一対の脚部２１と、チェア本体３０を接続するための左右一対の第２被接続部２４とを含む床置き用アセンブリ２０と、背当部３１，３９と、座部４１と、第１被接続部４又は第２被接続部２４に選択的に接続する左右一対の接続部とを含むチェア本体３０とを備えている。【選択図】図１
0003205548.tif 000002
【実用新案登録請求の範囲】
【請求項１】
テーブル（Ｔ）の上面に当接する左右一対の上部アーム（２）と、テーブル（Ｔ）の下面に当接する左右一対の下部アーム（３）と、チェア本体（３０）を接続するための左右一対の第１被接続部（４）とを含むテーブル取付用アセンブリ（１）と、
床に向かう左右一対の脚部（２１）と、チェア本体（３０）を接続するための左右一対の第２被接続部（２４）とを含む床置き用アセンブリ（２０）と、
背当部（３１，３９）と、座部（４１）と、第１被接続部（４）又は第２被接続部（２４）に選択的に接続する左右一対の接続部（３２）とを含むチェア本体（３０）とを備えていることを特徴とするベビーチェア。
【請求項２】
下部アーム（３）の途中部に、上部アーム（２）と協動してテーブル（Ｔ）を挟持する挟持装置（７）を備えている請求項１記載のベビーチェア。
【請求項３】
挟持装置（７）は、下部アーム（３）の途中部に動かないように取り付けられたブラケット（８）と、ブラケット（８）に対し起立姿勢と前傾姿勢との間で回動可能に取り付けられたスリーブ（９）と、スリーブ（９）に対し螺合された締付用ボルト（１０）と、締付用ボルト（１０）の先端部に取着されたパッド（１１）とからなる請求項２記載のベビーチェア。
【請求項４】
床置き用アセンブリ（２０）は、脚部（２１）の下端部から後方へ延びる接床部（２２）と、脚部（２１）の上端部から後方へ延びる接続用部（２３）を備えている請求項１、２又は３記載のベビーチェア。
【請求項５】
接続用部（２３）と接床部（２２）との間を繋いで補強する左右一対の補強フレーム（２５）を備えている請求項４記載のベビーチェア。
【請求項６】
チェア本体（３０）は、平面視Ｕ字状又はコ字状の湾曲フレーム（３１）と、湾曲フレーム（３１）に取り付けられたシート製の座席部材（３７）とからなり、湾曲フレーム（３１）の湾曲部と座席部材（３７）の背面部（３９）とが背当部を構成する請求項１〜５のいずれか一項に記載のベビーチェア。
【請求項７】
第１被接続部は第１被接続穴（４）であり、第２被接続部は第２被接続穴（２４）であり、接続部は第１被接続穴又は第２被接続穴に入って係合する係合ピンを含むピン式接続機構（３２）である請求項６記載のベビーチェア。
【考案の詳細な説明】
【技術分野】
【０００１】
本考案は、乳幼児が使用するベビーチェアに関するものである。
【背景技術】
【０００２】
食卓などのテーブルに取り付けて使用するベビーチェアがある。このベビーチェアは、図５に示すように、チェア本体５１と上部アーム５２と下部アーム５３とを備え、上部アーム５２の先端部をテーブルＴの上面に当接させ、下部アーム５３の先端部をテーブルＴの下面に当接させることによりテーブルＴに取り付ける（特許文献１）。
【先行技術文献】
【特許文献】
【０００３】
【特許文献１】特開平９−２５２８９０号公報
【考案の概要】
【考案が解決しようとする課題】
【０００４】
上記ベビーチェアは、テーブルＴから取り外した状態では、チェア本体５１を支えるものがないので、チェアとして使用することができない。そのため、使用場面が限られ、テーブルＴから取り外した後の収納を考える必要もあった。
【０００５】
そこで、本考案の目的は、テーブルに取り付けての使用と床に置いての使用とを選択的に可能にしたベビーチェアを提供することにある。
【課題を解決するための手段】
【０００６】
本考案のベビーチェアは、テーブル（Ｔ）の上面に当接する左右一対の上部アーム（２）と、テーブル（Ｔ）の下面に当接する左右一対の下部アーム（３）と、チェア本体（３０）を接続するための左右一対の第１被接続部（４）とを含むテーブル取付用アセンブリ（１）と、
床に向かう左右一対の脚部（２１）と、チェア本体（３０）を接続するための左右一対の第２被接続部（２４）とを含む床置き用アセンブリ（２０）と、
背当部（３１，３９）と、座部（４１）と、第１被接続部（４）又は第２被接続部（２４）に選択的に接続する左右一対の接続部（３２）とを含むチェア本体（３０）とを備えていることを特徴とする。
【考案の効果】
【０００７】
本考案のベビーチェアは、テーブルに取り付けての使用と床に置いての使用とが選択的に可能であり、使用場面が広がるという優れた効果を奏する。
【図面の簡単な説明】
【０００８】
【図１】実施例のベビーチェアの分解斜視図である。
【図２】（ａ）は同ベビーチェアをテーブルに取り付けて使用するときの斜視図、（ｂ）は同ベビーチェアを床に置いて使用するときの斜視図である。
【図３】（ａ）はチェア本体の湾曲フレームの斜視図、（ｂ）は同湾曲フレームを各アセンブリに接続する途中のピン式接続機構等を示す断面図、（ｃ）は同じく接続後のピン式接続機構等を示す断面図である。
【図４】同ベビーチェアをテーブルに取り付けて使用するときの側面図である。
【図５】従来例のベビーチェアの斜視図である。
【考案を実施するための形態】
【０００９】
１．テーブル取付用アセンブリ
上部アームは、テーブルの上面の縁から相対的に近い箇所に当接するものであり、下部アームは、テーブルの下面の縁から相対的に遠い箇所に当接するものであることが好ましい。
下部アームの途中部には、上部アームと協動してテーブルを挟持する挟持装置を設けることが好ましい。挟持装置としては、特に限定されないが、下部アームの途中部に動かないように取り付けられたブラケットと、ブラケットに対し起立姿勢と前傾姿勢との間で回動可能に取り付けられたスリーブと、スリーブに対し螺合された締付用ボルトと、締付用ボルトの先端部に取着されたパッドとからなるものを例示できる。
【００１０】
２．床置き用アセンブリ
床置き用アセンブリは、脚部の下端部から後方へ延びる接床部と、脚部の上端部から後方へ延びる接続用部を備えることが好ましい。
接続用部と接床部との間を繋いで補強する左右一対の補強フレームを備えることが好ましい。
【００１１】
３．チェア本体
チェア本体としては、特に限定されないが、平面視Ｕ字状又はコ字状の湾曲フレームと、湾曲フレームに取り付けられたシート製の座席部材とからなり、湾曲フレームの湾曲部と座席部材の背面部とが背当部を構成するものを例示できる。
【００１２】
４．第１被接続部、第２被接続部及び接続部
第１被接続部、第２被接続部及び接続部の組み合わせとしては、特に限定されないが、第１被接続穴、第２被接続穴及びこれらに入って係合する係合ピンを含むピン式接続機構の組み合わせや、第１の該ピン式接続機構、第２の該ピン式接続機構及び接続穴の組み合わせを例示できる。
【実施例】
【００１３】
実施例のベビーチェアは、テーブル取付用アセンブリ１と、床置き用アセンブリ２０と、チェア本体３０とからなるものである。
【００１４】
テーブル取付用アセンブリ１は、前方へ延びてテーブルＴの上面に当接する左右一対の上部アーム２と、上部アーム２の途中部から前方へ側面視横長Ｕ字形に延びてテーブルＴの下面に当接する左右一対の下部アーム３と、チェア本体３０を接続するための左右一対の第１被接続部（４）とを含む。
【００１５】
上部アーム２は例えば金属パイプ製である。上部アーム２の先端部には樹脂製又はゴム製の上部キャップ５が嵌着され、上部キャップ５はテーブルＴの上面の縁から相対的に近い箇所に当接する。上部アーム２の後端部には、第１被接続部としての、パイプ壁を半径方向に貫通する第１被接続穴４が形成されている。下部アーム３は、例えば金属パイプ製である。下部アーム３の後端部は上部アーム２に溶接され、先端部には樹脂製又はゴム製の下部キャップ６が嵌着され、下部キャップ６はテーブルＴの下面の縁から相対的に遠い箇所に当接する。
【００１６】
下部アーム３の途中部には、上部アーム２と協動してテーブルＴを挟持する挟持装置７が設けられている。挟持装置７は、下部アーム３の途中部に動かないように取り付けられたブラケット８と、ブラケット８に対し起立姿勢と前傾姿勢との間で回動可能に取り付けられたスリーブ９と、スリーブ９に対し螺合された締付用ボルト１０と、締付用ボルト１０の先端部に取着されたつまみ付きのパッド１１とからなる。スリーブ９を前傾姿勢にすると、上部アーム２と下部アーム３の間にテーブルＴを挿し入れやすくなる。そして、スリーブ９を起立姿勢にし、締付用ボルト１０を上動させると、パッド１１がテーブルＴの下面に当接し、上部アーム２のキャップと協動してテーブルＴを挟持するようになっている。
【００１７】
床置き用アセンブリ２０は、床に向かう左右一対の脚部としての脚フレーム２１と、脚フレーム２１の下端部から後方へ延びる接床フレーム２２と、脚フレーム２１の上端部から後方へ延びる接続用フレーム２３と、チェア本体３０を接続するための左右一対の第２被接続部（２４）とを含む。
【００１８】
接床フレーム２２は前後方向中間部で前後２つに分離可能となっている。さらに床置き用アセンブリ２０は、各接続用フレーム２３と接床フレーム２２との間を繋いで補強する左右一対の第１補強フレーム２５と、第１補強フレーム２５間を繋いで補強する第２補強フレーム２６と、接床フレーム２２の左右部を繋いで補強する第３補強フレーム２７とを備える。これらのフレームは例えば金属パイプ製である。接続用フレーム２３の後端部には、第２被接続部としての、パイプ壁を半径方向に貫通する第２被接続穴２４が形成されている。
【００１９】
チェア本体３０は、平面視Ｕ字状又はコ字状の湾曲フレーム３１と、湾曲フレーム３１に取り付けられたシート製の座席部材３７と、第１被接続部（４）又は第２被接続部（２４）に選択的（択一的）に接続する左右一対の接続部（３２）とを含む。
【００２０】
湾曲フレーム３１は例えば金属パイプ製である。湾曲フレーム３１の左右の先端部には、接続部としてのピン式接続機構３２が設けられている。ピン式接続機構３２は、パイプ壁を半径方向に貫通するガイド穴３３と、ガイド穴３３に挿通された係合ピン３４と、係合ピン３４をパイプ内から半径方向外側へ付勢するパネ３５とからなる。係合ピン３４の先端部は、常時は、同付勢によりガイド穴３３から半径方向外側へ突出しており、外部から押されたときには、同付勢に抗してガイド穴３３に退入するようになっている。そして、湾曲フレーム３１の先端部を、テーブル取付用アセンブリ１の上部アーム２の後端部又は床置き用アセンブリ２０の接続用フレーム２３の後端部に挿入する際に、係合ピン３４の先端部は、該後端部の内面に押されて一旦ガイド穴３３に退入してから、第１被接続穴４又は第２被接続穴２４に至るとガイド穴３３から突出して第１被接続穴４又は第２被接続穴２４に入って係合し、接続が行われる。
【００２１】
座席部材３７は、湾曲フレーム３１に外挿された袋部３８と、該袋部３８から下方へ延びる背面部３９及び左右の側面部４０と、これらの下端に連続する座部４１とを含む。湾曲フレーム３１の湾曲部と座席部材３７の背面部３９とが、背当部を構成している。側面部４０は、テーブル取付用アセンブリ１の下部アーム３の後部又は床置き用アセンブリ２０の第１補強フレーム２５に巻き付けられるように前方へ長く形成され、巻き付けてから袋状に止められるようにスナップファスナ４２を備えている。さらに座席部材３７は、座部４１の前縁中央部から上方へ延設された股受け部４３を備え、該股受け部４３の上端の通し穴部には、袋部３８の左右部位に縫着されたベルト４４が通されている。さらに座席部材３７は、ショルダーベルト４５を備えている。
【００２２】
このベビーチェアをテーブルＴに取り付けて使用するには、図１上部、図２（ａ）、図３及び図４に示すように、湾曲フレーム３１の先端部を上部アーム２の後端部に挿入し、係合ピン３４を第１被接続穴４に係合して、チェア本体３０をテーブル取付用アセンブリ１に接続する。そして、上記のとおり、スリーブ９を前傾姿勢にして上部アーム２と下部アーム３の間にテーブルＴを挿し入れ、上部キャップ５と下部キャップ６をテーブルＴに当接させて係止させてから、スリーブ９を起立姿勢にし、締付用ボルト１０を上動させて固定すればよく、簡単である。
【００２３】
このベビーチェアを床に置いて使用するには、図１下部、図２（ｂ）及び図３に示すように、湾曲フレーム３１の先端部を接続用フレーム２３の後端部に挿入し、係合ピン３４を第１被接続穴４に係合してチェア本体３０を床置き用アセンブリ２０に接続すればよく、簡単である。
【００２４】
以上のとおり、本実施例のベビーチェアは、テーブＴルに取り付けての使用と床に置いての使用とが選択的に可能であり、使用場面が広がる。
【００２５】
なお、本考案は前記実施例に限定されず、考案の趣旨から逸脱しない範囲で適宜変更して具体化することもできる。
【符号の説明】
【００２６】
１    テーブル取付用アセンブリ
２    上部アーム
３    下部アーム
４    第１被接続穴
７    挟持装置
８    ブラケット
９    スリーブ
１０    締付用ボルト
１１    パッド
２０    床置き用アセンブリ
２１    脚フレーム
２２    接床フレーム
２３    接続用フレーム
２４    第２被接続穴
３０    チェア本体
３１    湾曲フレーム
３２    ピン式接続機構
３７    座席部材
３８    袋部
３９    背面部
４０    側面部
４１    座部
【図１】
0003205548.tif 000003
【図２】
0003205548.tif 000004
【図３】
0003205548.tif 000005
【図４】
0003205548.tif 000006
【図５】
0003205548.tif 000007